(57)【特許請求の範囲】
【請求項１】
機体の上部に前後に長い苗載置台（２３）を設け、走行推進体（３，３）に動力を伝達する走行伝動部（５）を前記苗載置台（２３）の下方に設け、前記苗載置台（２３）の後側に設けた苗取出口（４２）から苗を一株分づつ取り出して圃場に植え付ける苗植付装置（３０）を苗載置台（２３）の後方に設け、前記苗載置台（２３）を左右移動させて苗を一株分づつ前記苗取出口（４２）に供給するよう構成すると共に、植付の入切及び走行推進体（３，３）の昇降操作が行える植付・昇降レバー（５７）を設けた苗移植機において、前記走行伝動部（５）からの動力を植付伝動軸（２５）、前記走行伝動部（５）の後方に設けた植付伝動ケース（２６）及び植付チェーンケース（２８）を介して苗植付装置駆動ケース（２９）ヘ伝達して前記苗植付装置（３０）を駆動し、前記苗植付装置駆動ケース（２９）から動力を分岐して苗載置台（２３）の上側に配設した苗載置台左右移動ケース（３１）へ伝達し、前記苗載置台左右移動ケース（３１）内の動力により左右移動軸（３５）を左右移動させ、該軸（３５）の両端部の第一支持アーム（３６）、左右支持軸（３７）及び左右の第二支持アーム（３８）を介して苗載置台（２３）を左右移動させる構成とし、前記左右の第二支持アーム（３８）間が苗載置台（２３）の幅と略等しくなるように該第二支持アーム（３８）を苗載置台（２３）側に設けて左右支持軸３７端部と第二支持アーム３８とにより苗載置台（２３）の側方に機体外方からの空間部（Ｓ）を形成したことを特徴とする苗移植機。
【発明の詳細な説明】
【０００１】
【発明の属する技術分野】
この発明は、苗移植機の技術分野に属する。
【０００２】
【従来の技術】
従来の技術として、歩行型の野菜苗移植機等の苗移植機において、機体の上部に前後に長い苗載置台を設け、車輪やクローラ等の走行推進体に動力を伝達する走行伝動部を前記苗載置台の下方に設け、前記苗載置台の後側に設けた苗取出口から苗を一株分づつ取り出して圃場に植え付ける苗植付装置を設けると共に、前記苗載置台を左右移動させて苗を一株分づつ前記苗取出口に供給するよう構成した苗移植機がある。そして、前記走行伝動部からの動力を苗載置台の後部の下方に設けた左右移動用伝動部に伝達し、前記左右移動用伝動部から苗載置台の後部に連結される連結機構を介して苗載置台を左右移動させるようにしたものがある。
【０００３】
【発明が解決しようとする課題】
上記従来技術の苗移植機においては、苗載置台を機体の上部に前後に長く配置しているので、機体の低重心化を図りながら前記苗載置台に多量の苗を載置することができる。また、走行推進体に動力を伝達する走行伝動部を前記苗載置台の下方に設けることにより、前記走行推進体を機体の前後バランスが良好となる位置に配置できる。
【０００４】
ところが、苗載置台の後部の下方に左右移動用伝動部を設けているので、その分苗載置台ひいては苗取出口が高くなり苗植付装置による苗取出口から圃場面までの苗の移送距離が長くなり、苗の植付姿勢が安定しなかったり苗植付装置に保持した苗が脱落したりすることがある。
【０００５】
【課題を解決するための手段】
この発明は、上記課題を解決すべく次の技術的手段を講じた。すなわち、機体の上部に前後に長い苗載置台（２３）を設け、走行推進体（３，３）に動力を伝達する走行伝動部（５）を前記苗載置台（２３）の下方に設け、前記苗載置台（２３）の後側に設けた苗取出口（４２）から苗を一株分づつ取り出して圃場に植え付ける苗植付装置（３０）を苗載置台（２３）の後方に設け、前記苗載置台（２３）を左右移動させて苗を一株分づつ前記苗取出口（４２）に供給するよう構成すると共に、植付の入切及び走行推進体（３，３）の昇降操作が行える植付・昇降レバー（５７）を設けた苗移植機において、前記走行伝動部（５）からの動力を植付伝動軸（２５）、前記走行伝動部（５）の後方に設けた植付伝動ケース（２６）及び植付チェーンケース（２８）を介して苗植付装置駆動ケース（２９）ヘ伝達して前記苗植付装置（３０）を駆動し、前記苗植付装置駆動ケース（２９）から動力を分岐して苗載置台（２３）の上側に配設した苗載置台左右移動ケース（３１）へ伝達し、前記苗載置台左右移動ケース（３１）内の動力により左右移動軸（３５）を左右移動させ、該軸（３５）の両端部の第一支持アーム（３６）、左右支持軸（３７）及び左右の第二支持アーム（３８）を介して苗載置台（２３）を左右移動させる構成とし、前記左右の第二支持アーム（３８）間が苗載置台（２３）の幅と略等しくなるように該第二支持アーム（３８）を苗載置台（２３）側に設けて左右支持軸３７端部と第二支持アーム３８とにより苗載置台（２３）の側方に機体外方からの空間部（Ｓ）を形成したことを特徴とする苗移植機とした。
【０００６】
【発明の効果】
よって、本発明の苗移植機は、苗載置台（２３）を機体の上部に前後に長く配置しているので、機体の低重心化を図りながら前記苗載置台（２３）に多量の苗を載置することができる。また、走行推進体（３，３）に動力を伝達する走行伝動部（５）を前記苗載置台（２３）の下方に設けることにより、前記走行推進体（３，３）を機体の前後バランスが良好となる位置に配置できる。
【０００７】
さらに、走行伝動部（５）からの動力を植付伝動軸（２５）、前記走行伝動部（５）の後方に設けた植付伝動ケース（２６）及び植付チェーンケース（２８）を介して苗植付装置駆動ケース（２９）ヘ伝達して前記苗植付装置（３０）を駆動し、前記苗植付装置駆動ケース（２９）から動力を分岐して苗載置台（２３）の上側に配設した苗載置台左右移動ケース（３１）へ伝達し、前記苗載置台左右移動ケース（３１）内の動力により左右移動軸（３５）を左右移動させ、該軸（３５）の両端部の第一支持アーム（３６）、左右支持軸（３７）及び左右の第二支持アーム（３８）を介して苗載置台（２３）を左右移動させる構成とし、前記左右の第二支持アーム（３８）間が苗載置台（２３）の幅と略等しくなるように該第二支持アーム（３８）を苗載置台（２３）側に設けて左右支持軸３７端部と第二支持アーム３８とにより苗載置台（２３）の側方に機体外方からの空間部（Ｓ）を形成したので、従来の苗載置台の後部の下方に左右移動用伝動部を設けた構成のものと比較して苗載置台（２３）の下方の伝動構成をコンパクトにでき、その分苗載置台（２３）ひいては苗取出口（４２）を低く構成でき苗植付装置（３０）による苗取出口（４２）から圃場面までの苗の移送距離が短くなり、苗の植付姿勢の向上や苗植付装置（３０）による確実な苗の保持を図ることができると共に、前記空間部（Ｓ）から苗載置台（２３）のメンテナンスを容易に行える。
【０００８】
【発明の実施の形態】
この発明の実施の一形態を図面に基づき説明する。図１は、成形苗である野菜苗を移植する歩行型の苗移植機１を示すものであり、この歩行型の苗移植機１は、左右一対の前輪２，２及び後輪３，３により、圃場に造成された畦をまたいで走行する構成である。機体の前部にエンジン４を搭載し、該エンジン４からの出力により走行伝動部である主伝動ケース５、左右の後輪駆動チェーンケース６，６を介して左右の後輪３，３を駆動する。前記エンジン４は、前記主伝動ケース５から前方に延びるエンジン支持フレーム部７に載置された構成となっている。前記主伝動ケース５の後部には左右方向に延びる左右フレーム８を設け、該左右フレーム８から後方に延びる主フレーム９を機体の右寄りに設け、該主フレーム９の後端部にハンドル１０を設けている。尚、前記左右の前輪２，２は、下部が内側に向くように傾斜して設けられたキャンバ角を有する転動輪であり、左右の後輪３，３のそれぞれ前方に設けられている。また、左右の後輪駆動チェーンケース６，６も左右の後輪３，３の下部が内側に向くように若干の傾斜を有している。尚、前記後輪駆動チェーンケース６，６の減速前の入力のスプロケットに対して前記チェーンケース６，６を傾斜して設け前記チェーンケース６，６内の伝動チェーンを若干ひねる構成としたので、後輪駆動チェーンケース６，６に対して後輪３，３を傾斜させるよりも簡素な構成とすることができる。
【０００９】
前記左右一対の前輪２，２は、左右方向に延びる前輪支持軸１１の左右両端部に該前輪支持軸１１に対して上下位置調節可能に設けられている。そして、前記前輪支持軸１１は、エンジン支持フレーム部７の下部に前後方向のローリング軸１２を介して設けられ、機体に対して左右にローリング可能となっている。機体の前後左右の略中央に、油圧式の後輪昇降シリンダ１３を設けている。また、主伝動ケース５の左側には油圧ポンプ１４、前記主伝動ケース５の後部には油圧切替バルブケース１５を固着して設けている。前記後輪昇降シリンダ１３は、前記油圧切替バルブケース１５内の後輪昇降操作バルブを操作することにより前記油圧ポンプ１４からの油圧を切り替えて作動するようになっている。前記後輪昇降シリンダ１３のシリンダロッド端には、左右に延びる横杆１６を固着している。この横杆１６の左右端部にそれぞれ後輪昇降ロッド１７，１８を枢着し該ロッド１７，１８の他端をそれぞれの後輪駆動チェーンケース６，６に固着された上側アーム６ａ，６ａに枢着して、前記横杆１６と後輪駆動チェーンケース６，６とを連結した構成となっている。従って、前記後輪昇降シリンダ１３の伸縮により前記横杆１６、前記後輪昇降ロッド１７，１８を介して後輪駆動チェーンケース６，６の入力軸６ｂ，６ｂ回りに後輪駆動チェーンケース６，６を回動し、該後輪駆動チェーンケース６，６の回動により後輪３，３が上下して機体が昇降する構成となっている。
【００１０】
また、右側の後輪昇降ロッド１８の中途部には油圧式のローリングシリンダ１９を設けており、該ローリングシリンダ１９の作動により右側の後輪昇降ロッド１８のロッド長を変更して左側の後輪３に対する右側の後輪３の高さを相違させることができる。前記ローリングシリンダ１９は、油圧切替バルブケース１５内のローリング操作バルブを操作することにより作動するようになっている。前記ローリング操作バルブは該バルブの前方に前後方向の回動軸２０回りに回動自在に設けた振り子体２１の回動により操作され、圃場の凹凸部を走行しても機体の左右傾斜姿勢を所定の状態に維持するように構成されている。
【００１１】
尚、右側の後輪駆動チェーンケース６の上方への回動を規制するストッパー２２を主伝動ケース５に設けている。該ストッパー２２により、ローリングシリンダ１９が介在する分左側の後輪３より上下動範囲が大きくなる右側の後輪３が上方の苗載置台２３や苗載置台左右移動機構２４等に干渉するのを防止している。主伝動ケース５からの動力により植付伝動軸２５を介して主伝動ケース５の後方の植付伝動ケース２６に伝動される。また、機体の走行速度に比例した速度となるよう前記主伝動ケース５から前記植付伝動ケース２６へ伝動される構成である。尚、前記植付伝動ケース２６は、主伝動ケース５の後部に固着した左右フレーム８から機体の左寄りに設けた植付伝動ケース支持フレーム２７を介して支持された構成となっている。前記植付伝動ケース２６からの動力により植付チェーンケース２８を介して苗植付装置駆動ケース２９に動力を伝達し、苗植付装置３０を駆動すると共に前記苗植付装置駆動ケース２９から動力を分岐し苗載置台左右移動ケース３１に伝動する構成となっている。前記苗載置台左右移動ケース３１内で苗植付装置３０が苗を掻き取るときに左右移動速度が遅くなるようにした緩速伝動機構３２やリードカム３３、リードカム軸３４等を介して伝動し苗載置台左右移動ケース３１を左右に貫通して設けられた左右移動軸３５を左右移動し、該軸３５の両端部の第一支持アーム３６，３６、左右支持軸３７、左右の第二支持アーム３８，３８を介して苗載置台２３を左右移動させる構成となっている。これらにより、苗載置台左右移動機構２４を構成している。尚、苗載置台２３は、前側案内部３９、後側案内板４０により支持及び案内されて左右移動する構成となっている。
【００１２】
そして、苗載置台２３を苗の一株分づつ左右移動させると共に、該苗載置台２３の左右移動終端において苗載置台２３上の苗を一株分づつ後方へ送る苗送りベルト４１を備え、後側案内板４０に備える苗取出口４２において苗載置台２３上のペーパーポット苗を一株づつ苗載置台２３の後方の苗植付装置３０により掻き取り、該苗植付装置３０が掻き取った苗を土壌面まで搬送して圃場に植え付ける構成となっている。尚、前記苗送りベルト４１は、植付伝動ケース２６からの伝動により駆動する。また、前記苗植付装置３０の前方には昇降して圃場面に間欠的に植付穴を形成する作溝体４３を設けており、該作溝体４３で形成した植付穴に前記苗植付装置３０が苗を植え付けるようになっている。また、前記苗植付装置３０は、上下方向に長い閉ループ状の軌跡Ｔを描きながら作動するようになっている。その後、左右一対の覆土輪４４，４４により、植え付けた苗の周辺に土壌を覆土する構成となっている。尚、前記覆土輪４４，４４は、機体に対して前端部の左右方向の回動軸４５回りに上下方向に回動するように設けた覆土輪支持フレーム４６の後部に取り付けられている。また、前記覆土輪支持フレーム４６の後端部には、覆土輪４４，４４の覆土圧を維持するためのウエイト４７を設けている。
【００１３】
苗載置台左右移動機構２４の左右の第二支持アーム３８，３８間が苗載置台２３の幅と略等しくなるように前記第二支持アーム３８，３８を苗載置台２３側に設けているので、苗載置台２３の側方に機体外方からの空間部Ｓができ、この空間部Ｓから苗送りベルト４１等の苗載置台２３のメンテナンスを容易に行える。また、苗載置台２３の後部の後側案内板４０に近いところに第二支持アーム３８，３８を取り付けているので、苗取出口４２付近の苗の左右移動が確実となり前記苗取出口４２に苗を一株分づつ精度良く供給する。
【００１４】
そして、主伝動ケース５からの動力を前後方向で苗載置台２３の苗取出口４２側を経由して苗載置台２３の上側に配設した苗載置台左右移動ケース３１へ伝達し、前記苗載置台左右移動ケース３１からの動力により前記苗載置台２３を左右移動させるように構成したので、従来の苗載置台２３の後部の下方に苗載置台左右移動ケースを設けた構成のものと比較して苗載置台２３の下方の伝動構成をコンパクトにでき、その分苗載置台２３ひいては苗取出口４２を低く構成でき苗植付装置３０による苗取出口４２から圃場面までの苗の移送距離が短くなり、苗植付装置３０の作動軌跡Ｔを小さくできるので該苗植付装置３０が土壌内に突入する前後長を小さくでき、苗の植付姿勢の向上や苗植付装置３０による確実な苗の保持を図ることができる。
【００１５】
また、前記作溝体４３の前方には圃場面感知プレート４８を設けている。該圃場面感知プレート４８は左右方向の軸４９回りに回動可能に設けられ、接地することによる該プレート４８の回動に伴ってロッド５０等を介して油圧切替バルブケース１５内の後輪昇降操作バルブを操作して苗植付装置３０により所定の植付深さとなるように後輪３，３を昇降するようになっている。尚、圃場面感知プレート４８の接地面側には該プレート４８の回動支点軸側の端部のみ接着したビニール製のフィルム５１を設けており、該フィルム５１により前記圃場面感知プレート４８及び前記フィルム５１に土壌が付着しにくいようにしている。
【００１６】
前記圃場面感知プレート４８は、左右の後輪３，３間に設けられると共に、主フレーム９、左右フレーム８及び植付伝動ケース支持フレーム２７で構成される平面視コの字型で囲まれた部分に配置され、植付伝動ケース２６の前方に該プレート４８の一部が配置されている。従って、圃場面感知プレート４８は、主フレーム９、左右フレーム８、植付伝動ケース支持フレーム２７及び植付伝動ケース２６で囲まれた部分に配置されているので、外部から該プレート４８を変形させたりするのを抑制している。
【００１７】
ところで、後輪昇降シリンダ１３により前後移動する横杆１６の後方には後輪昇降シリンダ１３が所定以上伸びたときに前記横杆１６が当接するローラ５２を設けている。該ローラ５２は、植付伝動ケース２６に支持される回動アーム５３の先端部に取り付けられ、前記回動アーム５３から覆土輪昇降用ロッド５４を介して覆土輪支持フレーム４６に連結されている。従って、後輪３，３が所定高さより下降すると（機体が所定高さより上昇すると）、前記回動アーム５３が回動して覆土輪支持フレーム４６が上方に回動し、覆土輪４４，４４が強制的に上昇する。これにより、機体の旋回時に、覆土輪４４，４４が圃場の畝を崩すようなことを抑制すると共にオペレータが旋回操作を行いやすい。尚、この苗移植機１は、旋回時に、後輪３，３を下降するのに伴って機体に対して昇降しない前輪２，２が圃場に対して上昇するので、前記前輪２，２が圃場の畝を崩すようなことを抑制すると共にオペレータが旋回操作を行いやすい構成となっている。
【００１８】
また、主フレーム９にはスタンド５５を設けている。このスタンド５５は、前輪２，２を接地した状態で後輪３，３を浮かせられる構成となっており、主に後輪３，３の組替え時やトレッド調節をすべく後輪３，３の左右位置を変更するときに使用する。前記スタンド５５は、Ｌ字型の棒材で構成され、前記主フレーム９に対して上下位置変更可能で且つ非使用時に前後方向に向く接地部５５ａを使用時に左右方向に向けて固定できるように上下方向の軸回りに回動可能なっている。従って、左右の前輪２，２と左右方向に延びる前記接地部５５ａにより機体を安定して支持できると共に、スタンド５５非使用時には前記接地部５５ａを前後方向に向けて主フレーム９に沿わせるので覆土輪支持フレーム４６の回動の邪魔にならない。尚、該スタンド５５の使用状態で苗植付装置３０を作動させても、該苗植付装置３０が土壌内に突入しないようになっている。
【００１９】
ハンドル１０の近傍には後輪３，３及び植付伝動ケース２６への伝動を断つことができる主クラッチレバー５６、植付の入切及び後輪３，３の昇降操作が行える植付・昇降レバー５７、前記植付・昇降レバー５７により後輪３，３を下降させた状態で植付の駆動が行える空苗植えレバー５８を設けている。前記植付・昇降レバー５７は、前後方向に操作するように設けられ、レバー後端の後輪下降位置から前方に操作するに従って後輪昇降固定位置、圃場面感知プレート４８により後輪３，３を昇降させる後輪自動昇降位置があり、更に前方に操作すると植付系統が駆動するようになっている。
【００２０】
前記植付・昇降レバー５７を植付の駆動位置に操作すべく前方に操作すると、該レバー５７と一体回転する植付用アーム５７ａを介して植付用リンク５７ｂの下端に設けたピン５７ｃを上昇させ、前記ピン５７ｃと係合する植付クラッチワイヤ５９の端部に設けたワイヤ引き用プレート６０の長孔部６０ａを介して前記植付クラッチワイヤ５９を引っ張って植付を駆動する構成となっている。前記空苗植えレバー５８を植付を駆動すべく後上方に操作すると、該レバー５８と一体回転する空苗植え用アーム５８ａを介して空苗植え用リンク５８ｂの下端に設けたピン５８ｃを上昇させ、前記ピン５８ｃと係合するワイヤ受けプレート６１、前記ワイヤ引き用プレート６０を介して植付クラッチワイヤ５９を引っ張って植付を駆動する構成である。このとき、植付用リンク５７ｂのピン５７ｃと前記ワイヤ引き用プレート６０とは長孔部６０ａを介して係合しているので、空苗植えレバー５８を後上方に操作することにより前記植付・昇降レバー５７の操作位置に拘らず植付が駆動するようになっている。
【００２１】
また、機体の後部には走行速度を有段変速する変速レバー６２を設けている。該変速レバー６２を左右方向に回動操作することにより中途部にユニバーサルジョイント６３を備える回動操作伝達軸６４を回動させ、該軸６４の回転により主伝動ケース５内のギヤの噛み合いを切り替えて前進高速、前進低速、後進速及び中立に操作できる構成となっている。前記回動操作伝達軸６４は、機体の側面視で主フレーム９、植付伝動ケース支持フレーム２７及び植付伝動軸２５に沿うように略水平に設けられ、苗載置台２３の低位置化に寄与している。また、回動操作伝達軸６４は、中途部のユニバーサルジョイント６３により植付伝動ケース２６の左側を迂回するように構成されている。
【図面の簡単な説明】
【図１】歩行型の苗移植機の側面図
【図２】歩行型の苗移植機の平面図
【図３】苗載置台左右移動機構を示す側面図
【図４】苗載置台左右移動機構を判りやすく示した平面図
【図５】空苗植えレバーと植付昇降レバーとの関係を示す側面図
【図６】空苗植えレバーと植付昇降レバーとの関係を示す背面断面図
【符号の説明】
１…歩行型の苗移植機、３，３…後輪、５…主伝動ケース、２３…苗載置台、２５…植付伝動軸、２６…植付伝動ケース、２８…植付チェーンケース、２９…苗植付装置駆動ケース、３０…苗植付装置、３１…苗載置台左右移動ケース、３５…左右移動軸、３６…第一支持アーム、３７…左右支持軸、３８…第二支持アーム、４２…苗取出口、５７…植付・昇降レバー、Ｓ…空間部
【図１】
0003873419.tif 000002
【図２】
0003873419.tif 000003
【図３】
0003873419.tif 000004
【図４】
0003873419.tif 000005
【図５】
0003873419.tif 000006
【図６】
0003873419.tif 000007